(57)【要約】【課題】  粉粒状内容物の収納容器である袋体の収納ケースにおいて、袋体を形成する材料の、ある程度の腰の強さを利用して、収納した袋体の全開姿勢を押圧により保持することにより、内容物の取出し使用を容易にかつ円滑に行えるようにすることを目的とするものである。【解決手段】  袋体１７を収納する有底筒状のケース本体１と、このケース本体１の開口端縁部に着脱自在に組付いて、ケース本体１内で全開姿勢となっている袋体１７の開口縁部１８を、複数の押さえ片１０によりケース本体１側に押付けて袋体１７の全開姿勢を確保する。各押さえ片１０は、ヒンジ部１３により、開放位置Ａと押さえ位置Ｂの一方に切り替え保持される。【選択図】  図１
2014198579.tif 000002
【特許請求の範囲】
【請求項１】
内容物（Ｎ）を収容した袋体（１７）を、上端開口の状態で収納するケースであって、側周壁（２）を有する有底筒状のケース本体（１）と、該ケース本体（１）の開口部に着脱自在に嵌合組付きする口枠体（５）を有し、該口枠体（５）は、前記ケース本体（１）の開口部に嵌入する嵌入筒片（６）を有し、該嵌入筒片（６）に、二つの状態の何れか一方に切り替え保持するヒンジ部（１３）を介して複数の押さえ片（１０）を設け、該押さえ片（１０）をヒンジ部（１３）により、前記側周壁（２）から離れる一方の状態である起立した姿勢の開放位置（Ａ）と、前記側周壁（２）に押圧する他方の状態である倒れた姿勢の押さえ位置（Ｂ）との間で、回動変位可能としたことを特徴とする収納ケース。
【請求項２】
円筒状の側周壁（２）に対し、複数の押さえ片（１０）を、前記側周壁（２）に沿って等間隔に配置した請求項１に記載の収納ケース。
【請求項３】
角筒状の側周壁（２）に対し、該側周壁（２）の各辺壁部分に対向して押さえ片（１０）を配置した請求項１に記載の収納ケース。
【請求項４】
嵌入筒片（６）の下端に、内方に下降傾斜したテーパー筒部（７）を連設し、該テーパー筒部（７）にヒンジ用凹部（８）を設け、該ヒンジ用凹部（８）を設けたテーパー筒部（７）部分に、ヒンジ部（１３）を介して押さえ片（１０）を設けた請求項１〜３の何れか１項に記載の収納ケース。
【請求項５】
ケース本体（１）の開口部に外嵌する外装筒片（９）を、嵌入筒片（６）の上端に外鍔状の鍔片を介して垂下設した請求項１〜４の何れか１項に記載の収納ケース。
【請求項６】
ケース本体（１）の開口部を横断する姿勢で、直線棒状の均し棒（１６）を口枠体（５）に設けた請求項１〜５の何れか１項に記載の収納ケース。
【発明の詳細な説明】
【技術分野】
【０００１】
本発明は、粉粒状内容物を収容した袋体を、この袋体の上端の口元を切り開いて収納し、袋体に収容されたままの内容物を、計量スプーン等で掬い取って使用する収納ケースに関するものである。
【背景技術】
【０００２】
粉洗剤や粉ミルク等の粉末状の内容物を、袋体に密封収納した製品がある。この製品は、購入後、袋体の上端の口元を切り開いて、袋体ごと専用の収納ケースに入れて使用される。袋体を開封して収納ケースにセットし、計量スプーン等で掬い取って使用する際に、袋体の開口部が閉じる方向に変形して、計量スプーンの使用がし難くなったり、袋体と収納ケースの間に内容物が入り込んでしまって、使い難い状態となり易い。
【０００３】
この不都合を解消するには、収納した袋体の開いた開口部を、閉じないように収納ケースに固定すればよい。例えば、特許文献１には、箱状のケース本体の開口端縁に、袋体の開口端縁を巻き付け状に組付け、この状態を掛止具で固定することにより、ケース本体に対する袋体の、開口部を開いたままの組付けを達成維持している。
【先行技術文献】
【特許文献】
【０００４】
【特許文献１】実開昭６２−１７６１０２号公報
【発明の概要】
【発明が解決しようとする課題】
【０００５】
この特許文献１に記載された従来技術にあっては、ケース本体の開口端縁に袋体の開口端縁部を巻き付け状に組付け、この巻き付き状に組付いた袋体の開口端縁部を掛止具により固定するので、ケース本体に対する袋体の開放した姿勢での組付きを安定して達成維持することができる。しかしながら、袋体の開口端縁部をケース本体の開口端縁に巻き付け状に組付けるには、袋体を十分に柔らかく剛性の低い材料、例えば薄手の合成樹脂製フィルムで成形する必要がある。
【０００６】
これに対し、粉粒状内容物の収納容器として使用されている袋体は、ある程度の腰の強さを有する肉厚なフィルムや薄手のシート製であるのが一般である。このため、袋体の開口端縁部をケース本体の開口端縁に、巻き付け状に組付けるのはきわめて困難であり、また例え巻き付け状に組付けることができても、この状態を掛止具に類する簡易治具により着脱自在に安定的に固定して維持することは、かなり難しい、と云う問題があった。
【０００７】
そこで、本発明は、上記した従来技術における問題点を解消すべく創案されたもので、粉粒状内容物の収納容器である袋体のある程度の腰の強さを利用して、収納した袋体の全開姿勢を押圧により保持することを技術的課題とし、もって内容物の取出し使用を容易にかつ円滑に行えるようにすることを目的とするものである。
【課題を解決するための手段】
【０００８】
上記課題を解決する本発明の手段の主たる構成は、
内容物を収容した袋体を、上端開口の状態で収納するケースであること、
側周壁を有する有底筒状のケース本体と、このケース本体の開口部に着脱自在に嵌合組付きする口枠体を有すること、
この口枠体は、ケース本体の開口部に嵌入する嵌入筒片を有し、この嵌入筒片に、二つの状態の何れか一方に切り替え保持するヒンジ部を介して複数の押さえ片を設けていること、
この押さえ片をヒンジ部により、ケース本体の側周壁から離れる一方の状態である起立した姿勢の開放位置と、ケース本体の側周壁に押圧する他方の状態である倒れた姿勢の押さえ位置との間で、回動変位可能としたこと、
にある。
【０００９】
袋体は、内容物を収容したまま、上端の口元を開封されてケース本体内に収納されるので、ケース本体内で、内容物の重みにより開封された口元を押し広げられた姿勢でケース本体内に位置する。すなわち、袋体は、開封した状態のままケース本体に入れることにより、ケース本体に対する組付けが完了する。
【００１０】
この状態から、押さえ片を開放姿勢にした口枠体を、上方からケース本体の開口部に組み付けする。この口枠体のケース本体への組付けは、ケース本体の開口部に対する嵌入筒片の嵌入により達成される。口枠体がケース本体に組付けられた状態では、各押さえ片は開放位置に位置している。開放位置に位置している押さえ片を、ヒンジ部の弾力に逆らって押さえ位置に反転変位させると、押さえ片は回動変位して袋体の開口縁部をケース本体の側周壁に押圧して挟持状に保持して固定する。この際、袋体の開口縁部の一部が側周壁から離れていれば、これを側周壁に押付けておく。
【００１１】
このように、押さえ片が押さえ位置に位置した状態では、袋体の開口縁部が押さえ片により挟持状に固定されているので、内容物の消費により袋体が撓み変形し易くなっても、ケース本体内の袋体の開放姿勢は一定した状態に維持される。
【００１２】
袋体内の内容物を消費する等して口枠体をケース本体から離脱させる際は、単にケース本体に対して口枠体を強引に引上げて離脱させればよい。この時、空となった袋体は、ケース本体内に残留するか、各押さえ片により突っ張られた状態となって、口枠体と一緒にケース本体から離脱する。
【００１３】
本発明の別の構成は、上記した主たる構成に、円筒状の側周壁に対し、複数の押さえ片を、側周壁に沿って等間隔に配置したことを、加えたものである。
【００１４】
複数の押さえ片を等間隔に配置したものにあっては、袋体の開口部を、略偏りなく押し広げた状態とすることが容易である。
【００１５】
本発明の別の構成は、上記した主たる構成に、角筒状の側周壁に対し、この側周壁の各辺壁部分に対向して押さえ片を配置したことを、加えたものである。
【００１６】
側周壁の各辺壁部分に対向して押さえ片を配置したものにあっては、袋体の開口部を、ケース本体の開口形状に略沿わせた形状とすることが可能である。
【００１７】
また、本発明の別の構成は、上記した主たる構成に、嵌入筒片の下端に、内方に下降傾斜したテーパー筒部を連設し、このテーパー筒部にヒンジ用凹部を設け、このヒンジ用凹部を設けたテーパー筒部部分に、ヒンジ部を介して押さえ片を設けたことを、加えたものである。
【００１８】
嵌入筒片に連設したテーパー筒部の、ヒンジ用凹部を設けたテーパー筒部部分に、ヒンジ部を介して押さえ片を設けたものにあっては、ヒンジ部をケース本体の側周壁から離して位置させることができ、これにより押さえ片の望ましい反転ストロークを得るのが容易となる。
【００１９】
また、本発明の別の構成は、上記した主たる構成に、ケース本体の開口部に外嵌する外装筒片を、嵌入筒片の上端に外鍔状の鍔片を介して垂下設したことを、加えたものである。
【００２０】
外装筒体を加えて口枠体を構成したものにあっては、嵌入筒片と外装筒片の間に、ケース本体の側周壁の開口端縁部を嵌入組付けする周溝状部分を形成することになり、この周溝状部分にケース本体の開口端縁部を嵌入させることにより、ケース本体に対する口枠体の組付きを、安定して強固とすることができる。
【００２１】
また、本発明の別の構成は、上記した主たる構成に、ケース本体の開口部を横断する姿勢で、直線棒状の均し棒を口枠体に設けたことを、加えたものである。
【００２２】
口枠体に均し棒を設けたものにあっては、袋体内から内容物を計量スプーンで掬い取る際に、均し棒により掬い取った内容物を均すことにより、内容物を正確に計量して掬い取ることができる。
【発明の効果】
【００２３】
本発明は、上記した構成となっているので、以下に示す効果を奏する。
本発明における吐出容器の主たる構成においては、ケース本体に対する袋体の組付けおよび分離がきわめて容易であり、袋体の取り扱いを簡単にかつ良好に達成することができる。
【００２４】
また、ケース本体内の袋体は、口枠体によりその開口部を押し広げられた状態に保持されるので、常に内容物の掬い出しがし易い状態となっており、これにより使い勝手のよい状況を得ることができると共に、ケース本体の側周壁と袋体の間に大きな隙間を形成させることがないので、内容物がこの隙間に入り込んで使い難い状態となることがない。
【００２５】
複数の押さえ片を等間隔に配置したものにあっては、袋体の開口部を、略偏りなく押し広げた状態とすることが容易であるので、袋体を、常に一定した開口姿勢に維持することができる。
【００２６】
側周壁の各辺壁部分に対向して押さえ片を配置したものにあっては、袋体の開口部を、ケース本体の開口形状に略沿わせた形状とすることが可能であるので、ケース本体と袋体の開口形状を整合させることができ、これにより自然な取り扱いを得ることができる。
【００２７】
嵌入筒片に連設したテーパー筒部の、ヒンジ用凹部を設けたテーパー筒部部分に、ヒンジ部を介して押さえ片を設けたものにあっては、望ましい押さえ片の反転ストロークを得るのが容易となるので、袋体の開口縁部の押さえ片による押圧保持を、強固で安定したものとすることができる。
【００２８】
外装筒体を加えて口枠体を構成したものにあっては、ケース本体に対する口枠体の組付きを、安定して強固とすることができるので、収納ケースに対する袋体の収納保持を安全に維持することができる。
【００２９】
口枠体に均し棒を設けたものにあっては、袋体内から内容物を計量スプーンで掬い取る際に、均し棒により掬い取った内容物を均すことにより、内容物を正確に計量して掬い取ることができるので、内容物の正確で安全な消費状態を得ることができる。
【図面の簡単な説明】
【００３０】
【図１】本発明の実施形態例の、押さえ片を開放位置に状態時における全体縦断面図である。
【図２】図１に示した実施形態例の、全体平面図である。
【図３】図２に示した実施形態例の、外蓋体を図示した要部外観斜視図である。
【図４】押さえ位置に位置した押さえ片を示す、一部外観斜視図である。
【図５】押さえ片およびヒンジ部の詳細を示す、要部拡大縦断面図である。
【図６】押さえ片およびヒンジ部の詳細を示す、要部拡大平面図である。
【発明を実施するための形態】
【００３１】
以下、本発明の実施形態例を、図１〜図６を参照しながら説明する。
なお、本実施形態例では、ケース本体１の底壁に対して開口部が位置する側を上方とし、その反対側（図１における下側）を下方とする。
【００３２】
図１において、１はケース本体、５は口枠体、１７は袋体で、Ｎは袋体１７に収容されている粉体状の内容物である。袋体１７は、ある程度の腰の強さを有する合成樹脂シート製の袋状容器で、粉洗剤や粉ミルク等の粉末状の内容物Ｎを充填収容してから、上端の口元を密にシールして商品化されたものである。この袋体１７は、使用に際して、袋体１７の口元を切り開いて開口部を形成し、そのまま収納ケースに入れて使用される。
【００３３】
収納ケースは、ケース本体１と口枠体５から構成され、袋体１７と合わさって収納容器として機能すると共に、継続使用容器として使用される。ケース本体１は、四角筒状の側周壁２を有する有底筒形状体であり、収納する袋体１７に合わせた大きさで製作されている。このケース本体１の内部の大きさは、開封されて収納された袋体１７が、内容物Ｎの重さにより開口部を拡げた状態（図１参照）で、側周壁２の内周面に袋体１７が軽く接触する程度となるように設定されており、またその深さは、口枠体５が組付く側周壁２の開口端縁部が、収納した袋体１７の開口端縁よりも上位に位置する（図１参照）ことができる程度に設定されている。側周壁２の外周面上端部には、ケース本体１の開口部分の機械的強度を補強する口鍔片３が突周設されている。なお、ケース体１の成形材料としては、ポリプロピレン樹脂やポリエチレン樹脂等の可塑性樹脂が適している。
【００３４】
口枠体５（特に、図５参照）は、嵌入筒片６と、この嵌入筒片６の下端から内方に下降傾斜して連設されたテーパー筒部７と、このテーパー筒部７にヒンジ部１３を介して連設された複数の押さえ片１０と、嵌入筒片６と組合さって口枠体５のケース本体１への組付き部分を構成する外装筒片９を有している。
【００３５】
嵌入筒片６と外装筒片９の組み合わせ物は、嵌入筒片６の上端に、外鍔状の鍔片を介して外装筒片９を垂下状に連設し、これにより嵌入筒片６と外装筒片９の間に、ケース本体１の開口端縁部が嵌入する溝部分を周状に形成している。それゆえ、ケース本体１と口枠体５の着脱は、この嵌入筒片６と外装筒片９の間に形成した溝部分に対する、ケース本体１の開口端縁部の着脱により達成される。
【００３６】
四角枠状となったテーパー筒部７の各辺部分の中央部には、ヒンジ用凹部８が形成されており、このヒンジ用凹部８を形成したテーパー筒部７部分の下端に、ヒンジ部１３を介して押さえ片１０（特に、図５参照）が設けられている。押さえ片１０は、ヒンジ部１３の作用により、袋体１７の開口縁部１８（図５参照）を側周壁２に押付けて挟持するもので、ヒンジ部１３との連結部分を提供する背板片１１と、押さえ片１０と背板片１１の組み合わせ物を補強するリブ片１２を一体に有している。
【００３７】
ヒンジ部１３は、二つの状態の何れか一方に切り替え保持するスナップ機能を発揮し、押さえ片１０を側周壁２から起立姿勢となって離れる一方の状態である開放位置Ａ（図１〜図３の実線図示、および図４の仮想線図示参照）と、倒れた姿勢となって押さえ片１０を側周壁２に押圧する他方の状態である押さえ位置Ｂ（図１および図５の仮想線図示、および図４の実線図参照）との間で、押さえ片１０を回転変位させて、その位置に保持する。
【００３８】
このヒンジ部１３は、図示実施例の場合（特に、図６参照）、弾性板として機能する一対の平板状の連結板片１４と、ヒンジ部１３のヒンジ軸を提供する側周壁２に沿って横方向に延びたヒンジ線１５とから構成されている。両連結板片１４は、ヒンジ用凹部８と背板片１１との間に設けられており、押さえ片１０を開放位置Ａに位置させた状態では、その上下両面がヒンジ線１５に向かった下降傾斜すると共に、ヒンジ線１５側の長さが反対側よりも短くなっている。このように両連結板片１４は、一端がヒンジ用凹部８に位置して傾斜姿勢となっているので、開放位置Ａと押さえ位置Ｂの切り替えに際して、延び変形して弾力を作用させて、スナップ機能を発揮する。また、ヒンジ線１５が、横方向に延びる姿勢で形成されているので、開放位置Ａにある押さえ片１０は下降回動変位して（図１、図５参照）、押さえ位置Ｂ切り替わることになる。なお、口枠体５は、ヒンジ部１３を一体に形成することから、成形樹脂材料としては、ポリプロピレン樹脂が適している。
【００３９】
口枠体５には、開口部を横断する姿勢で、直線棒状の均し棒１６（図１〜図３参照）が設けられている。この均し棒１６を利用して、計量スプーン（図示、省略）で掬った内容物Ｎを、均すことにより、過剰に掬い取った内容物Ｎを戻して、一回に掬い取る内容物Ｎの量を正確に計量することができる。
【００４０】
なお、図４に示すように、収納ケースには、実用上、ケース全体を開閉する外蓋体４を設けるのが望ましい。図３に示した実施例にあっては、外蓋体４は、ケース本体１の口鍔片３に蝶番結合されているが、単品として構成してもよい。
【００４１】
次に、収納ケースに対する袋体１７の収納動作を説明する。口枠体５を取り外した状態のケース本体１に、口元を切り開いた袋体１７を収納する。ケース本体１に収納された袋体１７は、内容物Ｎの重さにより、口元である開口部が押し広げられた状態（図１参照）となる。この状態で、押さえ片１０を開放位置Ａに位置させた口枠体５を、ケース本体１に組み付ける（図１、実線図示参照）。次いで、袋体１７の開口縁部１８が、内側に倒れ込むことなく、図１に示したように、側周壁２に略沿って立ちあがった姿勢となっていることを確認してから、各押さえ片１０を押さえ位置Ｂに切替え（図１の仮想線図示参照）て、袋体１７の開口縁部１８を挟持して、袋体１７の開放姿勢を確保する。
【００４２】
収納ケースに収納された袋体１７は、内容物Ｎの減少等により、開口縁部１８が側周壁２から離れる方向に撓み変形しようとしても、この変形は押さえ片１０により確実に阻止されて、袋体１７の開放姿勢が確保されかつ維持されるので、この変形は確実に阻止され、内容物Ｎの良好な掬い取り動作を維持できる。なお、空となった袋体１７に収納ケースからの取り外しは、ケース本体１から口枠体５を取り外すことにより達成する、この際、各押さえ片１０は押さえ位置Ｂに位置した状態のままでもかまわない。
【００４３】
以上、実施形態例に沿って本発明の構成とその作用効果について説明したが、本発明の実施の形態は上記実施形態例に限定されるものではない。例えば、ケース本体１の側周壁２は四角筒状以外に、円筒状、楕円筒状、さらには正多角筒状等が実施可能である。また、ヒンジ部１３は、一対の連結板片１４と一つのヒンジ線１５の組み合わせ構造の他に、一つのＬ字状に曲った弾性板片の両側に、一つのヒンジ軸を提供する一対のヒンジ線を設けて構成したものの実施も可能である。
【産業上の利用可能性】
【００４４】
本発明の収納ケースは、内容物の消費に関係なく、開封状態で収納された袋体の開口部の全開状態を、ヒンジ部による押さえ片の回動変位動作を利用して確保することにより、内容物の適正で良好な掬い出し操作を得ることができ、粉末内容物の収納容器である袋体の収納ケースとして広い分野での適用が可能とすることができる。
【符号の説明】
【００４５】
１  ；ケース本体
２  ；側周壁
３  ；口鍔片
４  ；外蓋体
５  ；口枠体
６  ；嵌入筒片
７  ；テーパー筒部
８  ；ヒンジ用凹部
９  ；外装筒片
１０；押さえ片
１１；背板片
１２；リブ片
１３；ヒンジ部
１４；連結板片
１５；ヒンジ線
１６；均し棒
１７；袋体
１８；開口縁部
Ａ  ；開放位置
Ｂ  ；押さえ位置
Ｎ  ；内容物
【図１】
2014198579.tif 000003
【図２】
2014198579.tif 000004
【図３】
2014198579.tif 000005
【図４】
2014198579.tif 000006
【図５】
2014198579.tif 000007
【図６】
2014198579.tif 000008